(57)【特許請求の範囲】
【請求項１】
被調理材を収容する容器と、
前記容器を加熱する加熱手段と、
前記容器内の被調理材を回転軸に連結し回転することにより撹拌しつぶす撹拌つぶし手段と、
前記被調理材の温度を直接的或いは間接的に検出する温度検出手段と、
前記撹拌つぶし手段と前記加熱手段を制御する制御部とを備え、
前記撹拌つぶし手段は、一辺を略法線方向に配置した平板形状の撹拌部と前記容器の底面に略平行の平板形状で形成されたつぶし部及び前記撹拌部と前記つぶし部とを連結するボスとから構成し、前記撹拌部の平板形状の一端部と前記つぶし部の平板形状の一端部とを前記撹拌つぶし手段の回転方向側で曲面に連結し、前記容器に前記被調理材の一部の少なくとも生米と水を投入し炊飯して作成したごはんを撹拌しながらつぶし捏ねるパン生地生成機。
【請求項２】
撹拌部は略長方形の平板から形成した請求項１に記載のパン生地生成機。
【請求項３】
つぶし部はボスの半径より幅広い平板で形成した請求項１に記載のパン生地生成機。
【請求項４】
容器に被調理材の一部の生米と水を投入し炊飯してごはんを作成するときに、生米のでんぷんの糊化が始まるデンプン糊化温度以下で加熱するようにした請求項１〜３のいずれか１項に記載のパン生地生成機。
【請求項５】
略法線方向に配置した撹拌部は、回転方向の下流側へ、かつ上方へ傾斜させた請求項２に記載のパン生地生成機。
【請求項６】
つぶし部は、表面に凸凹を形成した凹凸部及び開口した開口部のうちの少なくとも一方を形成した請求項３に記載のパン生地生成機。
【請求項７】
撹拌つぶし手段は、回転方向の上流側へ、かつ上方へ傾斜させた第一の案内部及び撹拌部の底部を回転方向の下流側で、かつ容器の底面側へ傾斜させた第二の案内部のうちの少な
くとも一方を設けた請求項１〜６のいずれか１項に記載のパン生地生成機。
【請求項８】
容器の底面には、表面に凸凹を形成した凹凸部及び開口した開口部のうちの少なくとも一方を形成したつぶし板を配置した請求項１〜７のいずれか１項に記載のパン生地生成機。
【請求項９】
容器には、取り外し自在に配置したつぶし板が回転することを規制する回り止め部を設けた請求項８に記載のパン生地生成機。
【請求項１０】
請求項１〜９記載のいずれか１項に記載のパン生地生成機において、制御部は温度検出手段で検出された被調理材の温度に基づき加熱手段を制御し被調理材の混合から焼成までを制御することをさらに備え、撹拌つぶし手段は容器に前記被調理材の一部の少なくとも生米と水を投入し炊飯して作成したごはんを撹拌しながらつぶした後に、前記容器にイースト菌などの前記被調理材の残りを投入してパンを作成する製パン機。
【発明の詳細な説明】
【技術分野】
【０００１】
本発明は、主として一般家庭で手軽にパンを焼くことができる製パン機に関して、生米を用いたパン生地を生成するパン生地生成機及びそのパン生地を用いた製パン機に関する。
【背景技術】
【０００２】
古くから食パンや菓子パン等のパン作りは、温度管理が難しいイースト菌を必要とすること、捏ねを十分に行わなければ出来映えの良いものが得られず業務用の製パン機に頼っていた。
【０００３】
例えば、パン作りの一連の工程は、先ず、水を始めとして小麦粉、塩、砂糖、スキムミルク、シヨートニングのミックス粉と、ドライイーストを水に触れないようにしてパンケース内に投入した後、それぞれの材料を十分に混合する捏ね工程と、その後捏ね上った生地を休めて２５〜３２度程度に加温して発酵させて膨らませる一次発酵工程と、その後、生地を僅かの時間捏ねて生地中の余分なガス（気泡）を抜くガス抜き工程と、その後生地内に残ったガスをつぶさないようにして成形する生地丸め工程と、さらにその後、生地を１時間程度休ませて発酵させる二次発酵工程と、その後１６０〜１８０度で焼く焼成工程とから構成されており、これらの工程を順序よく進めなければならない。
【０００４】
そこで、パン材料の捏ねから焼成までの種々の工程をマイクロコンピュータのプログラムに基づいて自動的に実行する製パン機でき、一般家庭で手軽にパンを焼くことができる製パン機が世の中に普及してきている（例えば、特許文献１参照）。
【０００５】
図８は特許文献１に記載された製パン機の食材入り食パンの調理フロー図である。図８に示すように、従来の製パン機はパン材料の捏ねから焼成までの種々の工程をマイクロコンピュータのプログラムに基づいて自動的に実行するようになっていて、一般家庭で手軽にパンを焼くことができるようになっている。
【０００６】
また、低コストで取り扱いが簡単な製パン機能付き炊飯器も考えられた（例えば、特許文献２参照）。
【０００７】
図９は特許文献２に記載された製パン機能付き炊飯器の炊飯時の状態を示す断面図である。
【０００８】
図９に示すように、製パン機能付き炊飯器によれば、容器１は加熱室２内に着脱自在に設けられ、容器１の開口部は内蓋３によって選択的に塞ぐことが可能となり、練り羽根４はモータと制御部とによって選択的に回転される。そのため、内蓋３を付すことで容器１を密封して炊飯を行うことができ、内蓋３を取り外した状態で練り羽根４を回転させて製パンを行うことができる。従って、容器１を共通にして炊飯と製パンを行うことができるので、コスト的に有利である。また、容器１を加熱室２から取り外して洗浄作業、洗米を入れる作業などを行うことができるとともに、容器１を加熱室２に入れるだけで係合部を介して練り羽根４とモータとの連結が行われるので、取り扱いが簡単である。
【０００９】
さらに、近年、食生活の欧米化、消費者の嗜好の変化等により米の消費量が低迷してきていることから、この低迷に歯止めをかけ、より米の消費量の増大を図る取り組みが推進されている。その推進策として、米を主原料としたこれまでの加工食品、例えば餅、煎餅、団子等以外にも広げるべく、米を主原料にした製パン技術が開発され、米粉パンが市販されている。この米粉パンは、小麦粉パンに比べて、含有水分量が多く、しっとりした重みと良好な感触が得られ、また餅のように喉に詰まる恐れが少なく、更に少量を食するだけで満腹感が得られることから、消費者間で人気を博しており、更にまた、小麦粉を混入しない米粉パンは小麦アレルギーを持つ消費者にとって待望された食材となってきている。
【００１０】
そこで、より簡易に米粉パンができるように、米粉を入手しなくても、製パン機で、家庭にある米をそのまま粉砕してパンにする装置が考えられた（例えば、特許文献３参照）。
【００１１】
図１０は特許文献３に記載された従来の生地製造器の断面図、図１１は加熱調理食品生地製造工程の全体フロー図である。
【００１２】
図１１に示すように、加熱調理食品生地製造方法は、所定量の穀物粒と所定量の液体の混合物の中で粉砕ブレードを回転させて穀物粒を粉砕する粉砕工程＃２０と、粉砕穀物粒と液体の混合物からなる生地原料を練りブレードで生地に練り上げる練り工程＃３０からなる。
【００１３】
そして、穀物粒からパン用の生地を製造するときは、図１０に示すように生地製造器１１を次のように用いる。蓋１２を外し、容器１３の中に所定量の穀物粒と所定量の液体を入れた後、再び蓋１２を嵌め込んで、粉砕前含浸工程＃１０を実行する。粉砕前含浸工程＃１０の間、加熱手段１４で容器を加熱し、液体（この場合は水）の温度を上げると含浸が進む。粉砕前含浸工程の最初でブレード１５を回転させ、その後も時々ブレード１５を回転させて穀物粒の表面に傷をつけると、穀物粒の吸液が促され、含浸を早く完了させることができる。
【００１４】
粉砕工程＃２０に入ったらブレード１５を高速回転させ、穀物粒を粉砕する。これにより、粉砕穀物粒と液体の混合物からなる生地原料が形成される。練り工程＃３０ではブレード１５を低速回転させ、生地原料を捏ねて一つにつながった生地を練り上げる。
【００１５】
練り工程＃３０の冒頭で蓋１２を開け、所定量のグルテンと、必要に応じ所定量の調味
材料を生地原料に投入する。蓋１２を閉じ、ブレード１５を低速回転させて、生地原料及びそれに投入されたグルテンや調味材料を混練する。この過程で生地の温度が上昇するので、後に投入される発泡誘起材料がドライイーストである場合には、適当なタイミングで冷却手段１６により容器１１を冷却し、中の生地を冷やす。なお冷却の場合も加熱の場合も、容器１１の温度を温度センサ１７で監視し、正確な温度が得られるようにする。
【００１６】
発泡誘起材料を投入する時機になったら、蓋１２を開けて生地に所定量の発泡誘起材料を投入する。蓋１２を閉め、ブレード１５を低速回転させて生地と発泡誘起材料を混練し、生地を完成させる。
【００１７】
その後、生地を容器１１から取り出して、あるいは生地を容器１１に入れたままで、生地の発泡が進むのを待つ。所望の発泡を得られたら生地をパン焼き装置に入れ、パンを焼く。
【００１８】
このように、同一の容器１１内で粉砕前含浸工程＃１０から練り工程＃３０まで進行させることにより、ある工程から他の工程に移行する際に内容物を別の容器に移し替える必要がなく、時間を短縮できる。また、穀物粒や生地原料の一部が前の工程で使用した容器の内面に残り、少しずつ目減りするという問題もなくなる。
【先行技術文献】
【特許文献】
【００１９】
【特許文献１】特開２００２−３６０４４１号公報
【特許文献２】特開２００８−１８１２２号公報
【特許文献３】特開２０１０−３５４７５号公報
【発明の概要】
【発明が解決しようとする課題】
【００２０】
しかしながら、特許文献１で用いられるパンの材料は、小麦粉を主原料とするものを主としてあり、特に、生米を材料として改善されたものではなく、また、特許文献２では炊飯機能は有するもの、特許文献１と同様に、製パンに関しては生米を材料として改善されたものではない。
【００２１】
さらに、特許文献３では、米粉を入手しなくても、より簡易に米粉パンができるように、製粉工程を経ることなく穀物粒（具体的には米粒）から加熱調理食品生地を製造する方法として、所定量の穀物粒と所定量の液体の混合物の中で粉砕ブレード１５を回転させて穀物粒を粉砕する粉砕工程を有するようになっているが、所定量の穀物粒を粉砕するようになっているため、どうしても、粉砕に関する課題を生じてしまっていた。
【００２２】
そして、粉砕に関する課題としては、液体の混合物の中で粉砕ブレード１５を高速で回転させて穀物粒を衝突により粉砕するときには、非常に大きな音が伴い、夜間に穀物粒を粉砕することがためらわれるという心配もあった。なお、穀物粒の粉砕が悪いと、穀物粒が歯にあたりパンの食感が非常に悪くなる。
【００２３】
本発明は、前記従来の課題を解決するもので、静音なパン生地生成機を提供することを目的とする。
【課題を解決するための手段】
【００２４】
前記従来の課題を解決するために、本発明のパン生地生成機は、被調理材を収容する容器と、前記容器を加熱する加熱手段と、前記容器内の被調理材を回転軸に連結し回転することにより撹拌しつぶす撹拌つぶし手段と、前記被調理材の温度を直接的或いは間接的に
検出する温度検出手段と、前記撹拌つぶし手段と前記加熱手段を制御する制御部とを備え、前記撹拌つぶし手段は、一辺を略法線方向に配置した平板形状の撹拌部と前記容器の底面に略平行の平板形状で形成されたつぶし部及び前記撹拌部と前記つぶし部とを連結するボスとから構成し、前記撹拌部の平板形状の一端部と前記つぶし部の平板形状の一端部とを前記撹拌つぶし手段の回転方向側で曲面に連結し、前記容器に前記被調理材の一部の少なくとも生米と水を投入し炊飯して作成したごはんを撹拌しながらつぶし捏ねるものである。
【００２５】
先ずは、容器に生米と水を投入し炊飯してごはんを作成する。そして、撹拌つぶし手段が回転して生米に比べて柔らかくなったごはんをつぶす。特に、撹拌部はごはんを押し退けながらつぶし部と容器底面とのに押し込み、つぶし部はごはんを容器底面に押付けながらすりつぶす。また、撹拌部はごはんを上方へ押し上げるので、ごはんにはせん断力が働き、つぶれていく。
【発明の効果】
【００２６】
本発明のパン生地生成機は、生米を炊飯して作成したごはんをすりつぶすので、パン生地生成する際に静音化が図れる。
【図面の簡単な説明】
【００２７】
【図１】発明の第１の実施の形態におけるパン生地生成機及びそのパン生地を用いた製パン機の構成図
【図２】同パン生地生成機及びそのパン生地を用いた製パン機の要部斜視図
【図３】同パン生地生成機及びそのパン生地を用いた製パン機の工程のフロー図
【図４】本発明の第２の実施の形態におけるパン生地生成機の要部斜視図
【図５】本発明の第３の実施の形態におけるパン生地生成機の要部斜視図
【図６】本発明の第４の実施の形態におけるパン生地生成機の要部斜視図
【図７】本発明の第５の実施の形態におけるパン生地生成機の要部斜視図
【図８】従来の食材入り食パンの調理フロー図
【図９】従来の製パン機能付き炊飯器の炊飯時の状態を示す断面図
【図１０】従来のパン生地製造器の断面図
【図１１】従来の加熱調理食品生地製造工程の全体フロー図
【発明を実施するための形態】
【００２８】
従来の課題を解決するために、第１の発明のパン生地生成機は、被調理材を収容する容器と、前記容器を加熱する加熱手段と、前記容器内の被調理材を回転軸に連結し回転することにより撹拌しつぶす撹拌つぶし手段と、前記被調理材の温度を直接的或いは間接的に検出する温度検出手段と、前記撹拌つぶし手段と前記加熱手段を制御する制御部とを備え、前記撹拌つぶし手段は、一辺を略法線方向に配置した平板形状の撹拌部と前記容器の底面に略平行の平板形状で形成されたつぶし部及び前記撹拌部と前記つぶし部とを連結するボスとから構成し、前記撹拌部の平板形状の一端部と前記つぶし部の平板形状の一端部とを前記撹拌つぶし手段の回転方向側で曲面に連結し、前記容器に前記被調理材の一部の少なくとも生米と水を投入し炊飯して作成したごはんを撹拌しながらつぶし捏ねるものである。
【００２９】
先ずは、容器に被調理材の一部の少なくとも生米と水を投入し炊飯してごはんを作成する。そして、撹拌つぶし手段が回転して生米に比べて柔らかくなったごはんをつぶす。特に、撹拌部がごはんを押し退けながらつぶし部と容器底面との間に押し込む。続いて、つぶし部はごはんを容器底面に押付けながらすりつぶす。その後、ごはんが集まり、固まりだす程ごはんの粘度が高くなると、撹拌部はごはんを上方へ押し上げるので、この時ごはん粒は衝突しこすれ合い、粘性によりせん断力が働き、つぶれていく。これらの結果、生
米を衝突により粉砕しないので、生米の微小化に伴う音は著しく小さいという効果がある。
【００３０】
第２の発明は、特に第１の発明の撹拌部は略長方形の平板から形成したことにより、ボスから容器側面まで伸びた撹拌部が容器底面近傍のごはんを押し退けながらつぶし部と容器の底面との間隙へ均一に押し込む。続いて、つぶし部は効率よくごはんを容器底面に押し付けながらすりつぶす。その後、ごはんが集まり、固まりだす程ごはんの粘度が高くなると、撹拌部はごはんを押し付けながらボスから容器側面まで間で均一に上方へ押し上げるので、この時ごはん粒は互に衝突する機会が増加しこすれ合い、せん断力が働きつぶれていく。これらの結果、ごはんの微小化が効率よく図れる。
【００３１】
第３の発明は、特に第１の発明のつぶし部はボスの半径より幅広い平板で形成したことにより、つぶし部はつぶし部と容器底面との間隙に押し込まれたごはんをボスの半径より長い距離を移動しながら容器底面に押し付けながら十分にすりつぶす。この結果、ごはんの微小化が確実に図れる。
【００３２】
第４の発明は、特に第１〜３のいずれか１つの発明の容器に被調理材の一部の生米と水を投入し炊飯してごはんを作成するときに、米のでんぷんの糊化が始まるデンプン糊化温度以下で加熱するようにしたことにより、通常の炊飯に比べて低温なので炊飯時の加熱量を小さくでき、該機器の機体温度の上昇を抑えることが出来るようになる。また、作成されたデンプン糊化が弱いごはんは粘りけが少ないので膨らみやすく、ふっくらしたパンができるようになる。なお、作成されたごはんは、デンプン糊化が弱いのでごはんに芯が残るが、脆いので撹拌手段によりつぶれる。
【００３３】
第５発明は、特に第２の発明の撹拌部は、回転方向の下流側へ、かつ上方へ傾斜させたことにより、撹拌部に衝突したごはんは、撹拌部の上面に沿って移動しながら撹拌部を容器の底面に向かって押すので、撹拌つぶし手段は回転軸に沿って上方へ移動しない。すなわち、つぶし部と容器の底面との間隙が一定に維持できるので、つぶし部によるごはんのつぶし性能が安定する。
【００３４】
第６の発明は、特に第３の発明のつぶし部は、表面に凸凹を形成した凹凸部及び開口した開口部のうちの少なくとも一方を形成したことにより、ごはんは回転する撹拌つぶし手段によりつぶされ、微小化する。特に、撹拌部はごはんを押し退けながらつぶし部と容器の底面とのに押し込み、つぶし部はごはんを容器の底面に押付けながらすりつぶす。特に、つぶし部の凹みまたは開口部に入り込んだごはんは移動を制限されるので、容器の底面からのせん断力を強く受けて効率よくつぶれる。また、つぶし部の凸はごはんを容器の底面に押し下げるので、ごはん粒は衝突しこすれ合いせん断力が働き、つぶれていく。これら結果、ごはんのつぶし性能が向上する。
【００３５】
第７の発明は、特に第１〜６のいずれか１つの撹拌つぶし手段は、回転方向の上流側へ、かつ上方へ傾斜させた第一の案内部及び撹拌部の底部を回転方向の下流側で、かつ容器の底面側へ傾斜させた第二の案内部のうちの少なくとも一方を設けたことにより、第一の案内部または第二の案内部の下面は回転進行方向に対向する面積が大きいので、大量のごはんが第一の案内部または第二の案内部の下面に衝突し、つぶし部と容器の底面との間隙に入り込み、つぶされる。この結果、短時間でごはんのつぶしが終わる、すなわちごはんのつぶし性能が向上する。
【００３６】
第８の発明は、特に第１〜７のいずれか１つの発明の容器の底面には、表面に凸凹を形成した凹凸部及び開口した開口部のうちの少なくとも一方を形成したつぶし板を配置したことにより、ごはんは回転する撹拌つぶし手段によりつぶされ、微小化する。特に、撹拌
部はごはんを押し退けながらつぶし部とつぶし板とのに押し込み、つぶし部はごはんをつぶし板に押付けながらすりつぶす。特に、つぶし板の凹みまたは開口部に入り込んだごはんは移動を制限されてせん断力を受けて効率よくすりつぶされる。
【００３７】
また、第９の発明は、特に第８の容器には、つぶし板の回り止め部を設けたことにより、作成したごはんのねばりにより撹拌つぶし手段と一緒に回転することが防げて、つぶし板のごはんのつぶし効果が維持できる。さらに、つぶし板と容器の底面とが擦れることによる、磨耗が防げる。
【００３８】
また、第１０の発明は、特に第１〜９のいずれか１つの発明のパン生地生成機において、制御部は温度検出手段で検出された被調理材の温度に基づき加熱手段を制御し被調理材の混合から焼成までを制御することをさらに備え、撹拌つぶし手段は容器に前記被調理材の一部の少なくとも生米と水を投入し炊飯して作成したごはんを撹拌しながらつぶした後に、前記容器にイースト菌などの前記被調理材の残りを投入してパンを作成することにより、音が静かで、生米から簡単においしいパンができるようになる。
【００３９】
以下、本発明の実施の形態について、図面を参照しながら説明する。なお、この実施の形態によって本発明が限定されるものではない。
【００４０】
（実施の形態１）
図１は本発明の第１の実施の形態におけるパン生地生成機及びそのパン生地を用いた製パン機の構成図、図２は本発明の第１の実施の形態における要部斜視図、図３は本発明の第１の実施の形態におけるごはんを用いて作成するパン生地、製パンの工程のフロー図である。
【００４１】
図１、図２に示すように、本実施の形態におけるパン生地生成機は、機器本体２１内部に設けた焼成室２２と、焼成室２２内に着脱自在に収納され被調理材を収容する有底の容器２３が配設してある。この容器２３には、Ｄカット部を形成した回転軸２４が底面を貫通して配置され、回転軸２４は動力伝達手段２５を介してモータ２６と連結している。撹拌つぶし手段２７は撹拌部２８とつぶし部２９と副つぶし部３０及びボス３１とから一体構成されている。特に、撹拌部２８は一辺を略法線に配置し垂直に倒立した長方形の平板形状であり、つぶし部２９は容器２３の底面に平行に設け、かつボス３１の半径程度の幅の長方形の平板形状であり、副つぶし部３０は撹拌部２８とつぶし部２９の端部で容器２３の側周面に平行に設け、ボス３１は回転軸２４に嵌合している。撹拌部２８とつぶし部２９及び副つぶし部３０は互いの接触部には曲面に形成している。つぶし部２９は容器２３の底面との間隙は、約１ｍｍ以上に設定されおり、間隙が狭いと生米が通過しなくなる。
【００４２】
また、機器本体２１の上部には開口部を覆う開閉自在な外蓋３２が設けてあり、焼成室２２内の下方の容器２３の外周に位置して外周部より容器２３を加熱する加熱手段３３が設けてある。そして、容器２３の温度を検知して被調理材の温度を間接的に検出する温度検知手段３４が容器２３に当接して設けてあり、温度検知手段３４で検出された被調理材の温度に基づき、機器本体２１上部に配設した操作部３５で設定された設定内容に対応する所定のシーケンスで、制御部３６によって加熱手段３３および撹拌つぶし手段２７（モータ２６）を駆動制御し被調理材の炊飯、つぶしあるいは混合から焼成までを自動的に行うようになっている。
【００４３】
また、機器本体２１の上部の外蓋３２の内部には、イースト菌を自動投入するイースト菌自動投入器３７と、グルテンなどの粉を投入する粉自動投入器３８とが配設している。
【００４４】
なお、温度検知手段３４で検出された被調理材の温度が所定の温度より低いときは、加熱手段３３で加熱するとともに、逆に温度検知手段３４で検出された被調理材の温度が所定の温度より高いときは、被調理材の発酵時間を短縮するなど、温度検知手段３４で検出する温度によって加熱手段３３を調整するようにしてある。
【００４５】
以上のように構成されたパン生地生成機について、それぞれの工程のパン生地の生成とパン生地を用いた製パンについて説明する。
【００４６】
まず事前準備として、使用者が容器２３に生米と水を所定量投入するとともに、イースト菌自動投入器３７にはイースト菌を、粉自動投入器３８にはグルテン、塩、砂糖を夫々所定量投入し、準備が完了したら、スタートボタンを押して、図３に示すように該機器のパン生地の生成を開始し、続いてパン生地を用いた製パンを開始させる。なお、該機器は、温度検知手段３４検出された被調理材の温度に基づき、加熱手段３３と撹拌つぶし手段２７及び送風ファンを駆動制御し、炊飯、つぶし、捏ね、ねかせ、発酵、焼き上げを組み合わせて、炊飯したごはんを用いたパン生地を作成し、続いて製パンする。
【００４７】
ステップ２１１では、制御部３６が間欠的に駆動し、動力伝達手段２５を介して減速して回転軸２４を回転させるので、撹拌つぶし手段２７が米と水をゆっくりと間欠的に回転する。同時に、制御部３６が温度検知手段３４で検出する温度によって加熱手段３３を調整して、炊飯のための加熱温度を生米のでんぷんの糊化が始まるデンプン糊化温度（α化温度近傍、具体的には６０〜６５℃）に維持する。
【００４８】
そして、所定期間が経過すると、生米の表面が水分を含み溶け出して白濁した湯に柔らかくなったごはん粒が沈んだ状態でステップ２１１を終了する。
【００４９】
なお、撹拌つぶし手段２７が生米と水（湯）の状態で撹拌することで、生米の吸水を早く均一にすることができ、また、湯の温度分布を平均にすることができる。また、容器２３に生米と水を投入し炊飯してごはんを作成するときに、通常の炊飯する温度より低いデンプン糊化温度で加熱するようにしてあるので、炊飯時の加熱量を小さくでき、該機器の機体温度の上昇を抑えることが出来るようになる。
【００５０】
次にステップ２１２が開始され、ステップ２１１と同様に制御部３６がモータ２６を駆動して撹拌つぶし手段２７をゆっくりと撹拌するように回転させる。そして、デンプン糊化温度で炊飯されたごはんは生米に比べて柔らかいので回転する撹拌つぶし手段２７によりつぶされる。特に、撹拌部２８はごはんを押し退けながら撹拌部２８とつぶし部２９との曲面に沿ってつぶし部２９と容器２３の底面との間隙に押し込む。続いて、つぶし部２９がボス３１の半径より長い距離を移動しながらごはんを容器２３の底面に押付けながら十分にすりつぶす。また、副つぶし部３０が、副つぶし部３０と容器２３の周面との間隙に入ったごはんを容器２３の周面に押付けながらつぶす。
【００５１】
その後、容器２３は、ごはんが微小化するにしたがって溶けてお湯の粘度が高くなり、おかゆのようになり、さらに時間が経過するとおもちのようになって、撹拌つぶし手段２７やボス３１の上に集まりだす。この状態では、副つぶし部３０と容器２３の周面との間隙にごはんは侵入しなくなる。しかし、撹拌部２８がごはんを上方へも押し上げるので、この時、ごはん粒は衝突し、粘性によりこすれ合いせん断力が強く働き、つぶれていく。これらの結果、生米を衝突により粉砕しないので、生米の微小化に伴う音は著しく小さいという効果がある。
【００５２】
なお、ステップ２１１で作成されたごはんは、デンプン糊化が弱いのでごはんに芯が残るが、脆いので撹拌つぶし手段によりつぶれる。
【００５３】
ステップ２１３で、イースト菌自動投入器３７がイースト菌を、粉自動投入器３８がグルテン、塩、砂糖を容器２３に投入する。
【００５４】
ステップ２１４で、制御部３６が撹拌つぶし手段２７をゆっくりと撹拌するようにモータ２６を駆動する。おもちのようなごはん、イースト菌、グルテン、塩、砂糖が混合して捏ねられる。
【００５５】
ステップ２１４で、所定のねかし期間が経過するとパン生地が完成する（ステップ２１６）。使用者は完成したパン生地を取り出して、他の調理に使用してもよい（ステップ２１７）。
【００５６】
そして、ステップ２１８で焼き上げる。焼き上がったら完成（ステップ２１９）で、容器２３から取り出して完了する（ステップ２２０）。
【００５７】
この結果、生米と水を投入し炊飯してごはんを作成したものに、容器２３に被調理材の残りを投入してパンを作成するようにしてあるので、製パンに適した炊飯条件で作成したごはんが得られ、できあがりが安定した炊飯したごはんの製パンができるようになる。
【００５８】
なお、ステップ２１１で作成されたデンプン糊化が弱いごはんは粘りけが少ないので膨らみやすく、ふっくらしたパンができるようになる。
【００５９】
このように、炊飯中の撹拌と炊飯中の温度をα化温度以下で加熱することを組み合わせてあるので、より、炊飯時間を短縮化が図れるようになる。
【００６０】
（実施の形態２）
本発明の実施の形態２におけるパン生地生成機について説明する。
【００６１】
図４は本発明の実施の形態２におけるパン生地生成機を示す要部斜視図である。
【００６２】
以下、実施の形態１と同一部分については同一符号を付して説明を省略する。実施の形態１と異なるところは、撹拌つぶし手段３９の一辺を略法線方向に配置し略倒立した撹拌部４０を回転方向の下流側へ、かつ上方へ角度３０°傾斜させた点である。
【００６３】
そして、ステップ２１２で回転する撹拌部４０に衝突したごはんは、撹拌部４０の上面に沿って移動しながら撹拌部４０を容器２３の底面に向かって押すので、撹拌つぶし手段３９は回転軸２４から外れない。言い換えると、つぶし部２９と容器２３の底面との間隙が一定に維持できるので、つぶし部２９によるごはんのつぶし性能が安定する。
【００６４】
（実施の形態３）
本発明の実施の形態３におけるパン生地生成機について説明する。
【００６５】
図５は本発明の実施の形態３におけるパン生地生成機を示す要部斜視図である。
【００６６】
以下、実施の形態１と同一部分については同一符号を付して説明を省略する。実施の形態１と異なるところは、図５（Ａ）に示すように、撹拌つぶし手段４１のつぶし部４２の下面にボス３１から容器２３の側面に伸びた凹凸を形成した凹凸部であるつぶし溝４３を形成した点である。
【００６７】
そして、ステップ２１２で撹拌部２８が回転しごはんを押し退けながらつぶし部４２と
容器２３の底面との間隙に押し込む。続いて、つぶし部４２がごはんを容器２３の底面に押付けながらすりつぶす。特に、つぶし部４２のつぶし溝４３に入り込んだごはんは移動を制限され、容器２３の底面に押付け際に強くせん断力を受けてよくつぶれるという効果がある。なお、つぶし部４２には、複数の有底の開口部（φ２〜３穴）を開口しても、同様の効果が得られる。
【００６８】
また、図５（Ｂ）に示すように、撹拌つぶし手段４４のつぶし部４５に開口した開口部であるつぶし貫通口４６を多数開口した場合、つぶし貫通口４６に留まったごはんは、移動を制限され、容器２３の底面に押付け際に強くせん断力を受けてよくつぶれる。
【００６９】
また、ごはんがつぶし貫通口４６を通過する際に、ごはん粒は衝突し、粘性によりこすれ合いせん断力が働き、つぶれていくという効果がある。特に、時間が経過して、ごはんがおもちのようになると、この効果が著しく向上する。
【００７０】
（実施の形態４）
本発明の実施の形態４におけるそのパン生地生成機について説明する。
【００７１】
図６は本発明の実施の形態４におけるそのパン生地生成機を示す要部斜視図である。
【００７２】
以下、実施の形態１と同一部分については同一符号を付して説明を省略する。
【００７３】
実施の形態１と異なるところは、図６（Ａ）に示すように、撹拌つぶし手段４７の撹拌部４８の下部から回転方向の上流側へ、かつ上方へ４５°傾斜させた第一の案内部４９を設けた点である。
【００７４】
そして、ステップ２１２で回転する撹拌つぶし手段４７の第一の案内部４９に衝突した全てのごはんが、第一の案内部４９の下面に沿って移動しながらつぶし部２９と容器２３の底面との間隙に入り込む。続いて、つぶし部２９はごはんを容器２３の底面に押付けながらすりつぶす。すなわち、短時間でごはんをすりつぶすことができるという効果がある。
【００７５】
また、図６（Ｂ）に示すように、撹拌つぶし手段５０の撹拌部５１の底部を回転方向の下流側で、かつ容器２３の底面側へ４５°傾斜させた第二の案内部５２を設けても同様の効果が得られる。さらに、第一の案内部４９と第二の案内部５２の両方を設けると、大量のごはんをつぶすことができる。
【００７６】
（実施の形態５）
本発明の実施の形態５におけるそのパン生地生成機について説明する。
【００７７】
図７は本発明の実施の形態５におけるそのパン生地生成機を示す要部斜視図である。
【００７８】
以下、実施の形態１と同一部分については同一符号を付して説明を省略する。
【００７９】
実施の形態１と異なるところは、容器５３の底面には、中央に回転軸２４を通す開口部を開口した円板で、半径方向に２４本の幅３ｍｍのスリット５４を開口した開口部であるつぶし板５５を設けた点である。さらに、回り止め部５６は容器５３の底部に形成した二ヶ所のリム５７と、つぶし板５５に形成しリム５７を嵌合する切欠き部５８とから構成している。
【００８０】
そして、ステップ２１２で撹拌部２８が回転しごはんを押し付けながらつぶし部２９と
つぶし板５５との間隙に押し込む。続いて、つぶし部２９がごはんをつぶし板５５に押付けながらすりつぶす。特に、つぶし板５５のスリット５４に入り込んだごはんは移動を制限され強くせん断力を受けてよくすりつぶされるという効果がある。
【００８１】
なお、つぶし板５５には、複数の開口部（φ２〜３穴）を開口して、または、つぶし板５５に半径方向に凸凹形状（リム）に形成しもごはんは凸や凹に移動を制限されるので同様の効果が得られる。
【００８２】
他方、回り止め部５６がごはんの粘性により撹拌つぶし手段２７とつぶし板５５とが一緒に回転することを防止し、つぶし板５５と容器５３の底面が擦れて、互いが磨耗することがない。
【００８３】
なお、実施の形態１〜５において、撹拌部２８とつぶし部２９とは各々平板を組み合わせて作成しているが、丸棒や角材のような部材から形成してもよい。また、平板ではなく、波状、凸面、凹面でも同様の効果が得られる。
【産業上の利用可能性】
【００８４】
以上のように、本発明のパン生地生成機及びそのパン生地を用いた製パン機は、上記実施の形態に示した構成に限定されず種々の形態のものに適用できるものであり、小麦粉を主とした従来のパンを作成できない装置で炊飯したごはんで製パンする装置や、小麦粉を主とした従来のパンも作成でき炊飯したごはんで製パン出来る装置、などの本発明の技術範囲において種々の形態を包含するものである。
【符号の説明】
【００８５】
２３、５３  容器
２４  回転軸
２７、３９、４１、４４、４７、５０  撹拌つぶし手段
２８、４０、４８、５１  撹拌部
２９、４２、４５  つぶし部
３１  ボス
３３  加熱手段
３４  温度検知手段
３６  制御部
４３  つぶし溝
４９  第一の案内部
５２  第二の案内部
５４  スリット
５５  つぶし板
５６  回り止め部
５７  リム
５８  切欠き部
【図１】
0005824616.tif 000002
【図２】
0005824616.tif 000003
【図３】
0005824616.tif 000004
【図４】
0005824616.tif 000005
【図５】
0005824616.tif 000006
【図６】
0005824616.tif 000007
【図７】
0005824616.tif 000008
【図８】
0005824616.tif 000009
【図９】
0005824616.tif 000010
【図１０】
0005824616.tif 000011
【図１１】
0005824616.tif 000012